(57)【要約】【課題】全体をアルミの押出材から形成されているものに比べて安価な建物用庇を提供する。【解決手段】庇取り付け壁面２に取り付けられる壁取り付け部材３と、この壁取り付け部材３の下端と取り付け角度変更可能に係合するパネル取り付け用部材４と、このパネル取り付け用部材４に取り付けられるパネル部材５と、このパネル部材５の前端部に取り付けられる先端見切り部材６とから構成されており、前記パネル部材５はアルミの板材を折り曲げて作られたパネル本体１６と、このパネル本体の下端を塞ぐ底板１７とから構成されている。【選択図】    図８
2005256317.tif 000002
【特許請求の範囲】
【請求項１】
庇取り付け壁面に取り付けられる壁取り付け部材と、この壁取り付け部材の下端と取り付け角度変更可能に係合するパネル取り付け用部材と、このパネル取り付け用部材に取り付けられるパネル部材と、このパネル部材の前端部に取り付けられる先端見切り部材とから構成されており、前記壁取り付け部材、パネル取り付け用部材および先端見切り部材はアルミの押出材により作られ、前記パネル部材はアルミの板材を折り曲げて作られたパネル本体と、このパネル本体の下端を塞ぐ底板とから構成されていることを特徴とする建物用庇。
【請求項２】
パネル部材の前端部に先端見切り部材の後端部の爪片を係合させる溝部を有するようにアルミの押出材により作られたブラケットを配設し、パネル本体の天板部の後端に繋がる後板部とブラケットを前後方向に貫通する長軸のボルトの頭部をパネル取り付け用部材の前端部において形成された凹溝に嵌合するとともにブラケットから前方に突出するボルトの先端にナットを螺合させ締め付けることによりパネル部材をブラケットと一体的にパネル取り付け用部材に結合されるように構成し、パネル部材の内部には前後方向に向いてパネル本体の反りを防止する補強材を設けてあることを特徴とする請求項１記載の建物用庇。
【請求項３】
壁取り付け部材の側板とパネル取り付け用部材の側板とをビス止めにより結合させるようにしたことを特徴とする請求項１または２記載の建物用庇。
【請求項４】
庇取り付け壁面とパネル部材との間をステイにより支持するようにしたことを特徴とする請求項１または２記載の建物用庇。
【発明の詳細な説明】
【技術分野】
【０００１】
本発明は、建物の軒先などに直射日光や雨水などを遮るために取り付けられる建物用庇に関するものである。
【背景技術】
【０００２】
従来のこの種建物用庇としては、例えば特許文献１に開示されているように、軒内側端部を躯体固着面とし、軒外側端部に係合受構造を備えてなる基礎パネルと、軒内側端部に係合構造を設け、軒外側端部に係合受構造を備えてなる連結パネルと、軒内側端部に係合構造を備えてなる先端パネルとからなり、前記基礎パネルを躯体に固定し、この基礎パネルの軒外方向に係合構造と係合受構造とを係合することにより１又は２以上の連結パネル、若しくは先端パネルを連結し、連結パネルの軒外方向にはさらに係合構造と係合受構造とを係合することにより先端パネルを連結する構成を有する連結型庇が知られている。
【特許文献１】特開２０００−１４５０７８号公報
【発明の開示】
【発明が解決しようとする課題】
【０００３】
上記の特許文献１に開示されている連結型庇は基礎パネルと連結パネルと先端パネルとからなり、基礎パネルと連結パネルと先端パネルの全てがアルミの押出材から形成されていて、それぞれが一体構成となっており、前後方向の長さが長い庇にあっては、製造するための金型も大きいものが必要となり、コストが高くつくという問題があった。
【０００４】
本発明の目的は、このような課題を解決するものであり、全体をアルミの押出材から形成されている従来のものに比べて安価な建物用庇を提供することにある。
【課題を解決するための手段】
【０００５】
本発明の請求項１に記載の建物用庇は、庇取り付け壁面に取り付けられる壁取り付け部材と、この壁取り付け部材の下端と取り付け角度変更可能に係合するパネル取り付け用部材と、このパネル取り付け用部材に取り付けられるパネル部材と、このパネル部材の前端部に取り付けられる先端見切り部材とから構成されており、前記壁取り付け部材、パネル取り付け用部材および先端見切り部材はアルミの押出材により作られ、前記パネル部材はアルミの板材を折り曲げて作られたパネル本体と、このパネル本体の下端を塞ぐ底板とから構成されていることを特徴とする。
【０００６】
請求項２に記載の建物用庇は、パネル部材の前端部に先端見切り部材の後端部の爪片を係合させる溝部を有するようにアルミの押出材により作られたブラケットを配設し、パネル本体の天板部の後端に繋がる後板部とブラケットを前後方向に貫通する長軸のボルトの頭部をパネル取り付け用部材の前端部において形成された凹溝に嵌合するとともにブラケットから前方に突出するボルトの先端にナットを螺合させ締め付けることによりパネル部材をブラケットと一体的にパネル取り付け用部材に結合されるように構成し、パネル部材の内部には前後方向に向いてパネル本体の反りを防止する補強材を設けてあることを特徴とする。
【０００７】
請求項３に記載の建物用庇は、壁取り付け部材の側板とパネル取り付け用部材の側板とをビス止めにより結合させるようにしたことを特徴とする。
請求項４に記載の建物用庇は、庇取り付け壁面とパネル部材との間をステイにより支持するようにしたことを特徴とする。
【発明の効果】
【０００８】
以上のように、本発明の建物用庇は、全体をアルミの押出材から形成されているのではなく、最も大きな面積を占めるパネル部材はアルミの板材を折り曲げて作られたパネル本体と、このパネル本体の下端を塞ぐ底板とから構成されているので、製作費が押出材で作ったものに比べて安価になる。また、パネル部材の内部に設けた補強材により、ナットの締め付けによってパネル部材の天板部に反りが発生するのを防止することができる。
【発明を実施するための最良の形態】
【０００９】
以下、本発明の一実施の形態を、図１〜図１２に基づいて説明する。
図において、本実施の形態の建物用庇１は、建物における庇取り付け壁面２に取り付けられる壁取り付け部材３と、この壁取り付け部材３の下端と取り付け角度変更可能に係合するパネル取り付け用部材４と、このパネル取り付け用部材４に取り付けられるパネル部材５と、このパネル部材５の前端部に取り付けられる先端見切り部材６とから構成されている。
【００１０】
前記壁取り付け部材３はアルミの押出材から形成され、壁面２に沿う鉛直部分３ａと、この鉛直部分３ａの上端より壁面２前方に突出するように形成された下向き円弧状の突出部分３ｂと、この突出部分３ｂの先端部ならびに前後方向中央部裏面に突出するように形成されたリブ３ｃ，３ｄと、前記鉛直部分３ａの下端に形成されたパネル取り付け用部材４との係合部３ｅとを備え、前記鉛直部分３ａを壁面２に対し壁面２に埋設したアンカーボルト７にナット８を螺合させることにより取り付けるように構成されている。なお、鉛直部分３ａの上端には凹状の段部３ｆが形成されてあり、この段部３ｆと前記壁面２との間にパッキン９が介在されるようになっている。また、この壁取り付け部材３の両側端には側板１０が前記突出部分３ｂの先端部のリブ３ｃと、係合部３ｅと、鉛直部分３ａと突出部分３ｂとの繋がり部に形成されたタッピング孔３ｇの位置でビス１１止めされて取り付けられている。さらに、この壁取り付け部材３の横長さ方向複数箇所において鉛直部分３ａには前記係合部３ｅのやや上側において前記パネル取り付け用部材４の外れ防止用の支持金具１２が鉛直部分３ａに対しボルト（図示せず）により取り付けられている。
【００１１】
前記パネル取り付け用部材４もアルミの押出材から形成され、下端の扁平な板部４ａと、この板部４ａの後端部に形成され前記壁取り付け部材３の係合部３ｅに係合する係合部４ｂと、前記壁取り付け部材３の下向き円弧状の突出部分３ｂの円弧に沿うように前記板部４ａの上方で円弧状に形成された板部４ｃと、この板部４ｃの前端部に繋がり前記板部４ａと平行で前端部が板部４ａの前端部に揃う板部４ｄと、係合部４ｂの付け根部分から斜め前方に傾斜して立ち上がり前記板部４ａと板部４ｃとを繋ぐ支持部４ｅと、前記板部４ａ，４ｄ間に形成された凹溝４ｆとを備えている。なお、このパネル取り付け用部材４の両側端には側板１４が前記板部４ｃの後端部および凹溝４ｆの外面に形成されたタッピング孔４ｇの位置でビス１５止めされて取り付けられている。そして、このパネル取り付け用部材４は前記係合部４ｂが壁取り付け部材３の係合部３ｅに前方から係合されるのであるが、その際前記支持金具１２のボルトによる締め付けは緩められており、図９に示すようにパネル取り付け用部材４を下に向かせて前記壁取り付け部材３の突出部分３ｂの前端部とパネル取り付け用部材４の板部４ｃの後端部との間に正面に開口する隙間を形成した状態で両係合部４ｂ，３ｅの係合を確認した上でボルトが締め付けられることにより支持金具１２によってパネル取り付け用部材４の外れ防止を行なうようになっている。
【００１２】
前記パネル部材５は押出しにより作られるものではなく、アルミの板材を折り曲げて作られたパネル本体１６と、このパネル本体１６の下端を塞ぐために表裏両面がアルミ箔で覆われた合成樹脂製の底板１７とから構成されている。詳しくは、パネル本体１６は天板部１６ａと、この天板部１６ａの後端に繋がる後板部１６ｂと、この後板部１６ｂの下端に内側に折れ曲がるように繋がり天板部１６ａと平行で前後方向に短い板部１６ｃと、前記天板部１６ａの左右両端に繋がる側板部１６ｄと、この側板部１６ｄの下端に内側に折れ曲がるように繋がり天板部１６ａと平行で左右方向に短い板部１６ｅとを備えており、この板部１６ｅとこの板部１６ｅの上方に位置する前記板部１６ｃとの間に前記底板１７が差し込まれる程度の間隙が形成されている。このパネル部材５は後端部が前記パネル取り付け用部材４の板部４ａ，４ｄの前端部に嵌め込まれるのであるが、そのとき天板部１６ａが前記パネル取り付け用部材４の板部４ｄの内面に当接するように嵌め込まれる。その状態において前記板部１６ｃとパネル取り付け用部材４の板部４ａとの間には前記底板１７が差し込まれる程度の間隙が形成される。
【００１３】
前記パネル部材５の前端部に先端見切り部材６を取り付けるためにパネル部材５の前端部にはブラケット１８が取り付けられる。このブラケット１８もアルミの押出材から形成され、パネル部材５の天板部１６ａと底板１７との前端部の開口を塞ぐための板部１８ａと、この板部１８ａの上下両端に繋がり互いに平行で前記天板部１６ａと底板１７との間に嵌り込む板部１８ｂ，１８ｂと、板部１８ａと板部１８ｂ，１８ｂとの繋がり部近傍において上下に突出して前記天板部１６ａと底板１７の前端部に当接するように設けられた突出片１８ｃ，１８ｄと、この突出片１８ｃ，１８ｄの直ぐ前において板部１８ａと板部１８ｂとの繋がり部近傍に形成され溝部１８ｅ，１８ｆとから構成されている。
【００１４】
前記先端見切り部材６もアルミの押出材から形成され、上下の板部を先端部の円弧状部分で繋いだ形状を呈し、後端部には前記ブラケット１８の溝部１８ｅ，１８ｆに係合する爪片６ａ，６ｂを備えている。なお、この先端見切り部材６の下側の爪片６ｂからは前記ブラケット１８の板部１８ａの下端に繋がる板部１８ｂとの間で前記パネル部材５の前記底板１７が差し込まれる程度の間隙を形成するための受け片６ｃが後方に延設されている。また、先端見切り部材６の両側端には側板１９が先端部の円弧状部分の内側に形成されたタッピング孔６ｄの位置でビス２０止めされて取り付けられている。
【００１５】
前記パネル部材５の天板部１６ａと底板１７との間にブラケット１８の板部１８ｂ，１８ｂを嵌めた状態において前記パネル部材５の後端部を前記パネル取り付け用部材４の板部４ａ，４ｄの前端部に嵌め込むとともに、前記パネル取り付け用部材４の凹溝４ｆに頭部２１ａが嵌合されている長軸のボルト２１をパネル部材５の後板部１６ｂおよびブラケット１８の板部１８ａを前後方向に貫通させ、ブラケット１８の板部１８ａから前方に突出するボルト２１の先端にナット２２を螺合させ締め付けることによりパネル部材５はブラケット１８と一体的にパネル取り付け用部材４に結合されることになる。なお、前記パネル部材５の天板部１６ａとこの天板部１６ａに当接するブラケット１８の板部１８ｂとはビス１３により固定されている。前記先端見切り部材６はパネル部材５をブラケット１８と一体的にパネル取り付け用部材４に結合した後でブラケット１８の溝部１８ｅ，１８ｆに爪片６ａ，６ｂを係合させることにより取り付けられ、その後で両側端に前記側板１９が取り付けられる。
【００１６】
かかる構成により、パネル取り付け用部材４、パネル部材５、ブラケット１８、先端見切り部材６は一体結合され、これらはパネル取り付け用部材４を基部として前記壁取り付け部材３に対し回動自在となる。
【００１７】
建物用庇１は、建物における庇取り付け壁面２に取り付けられた工事完了状態において固定状態にしなければならず、建物用庇１の前後方向の長さが短い場合は前記壁取り付け部材３に対しパネル取り付け用部材４、パネル部材５、ブラケット１８、先端見切り部材６の角度設定後、壁取り付け部材３の両側端の側板１０とパネル取り付け用部材４の両側端の側板１４とをビスにより結合させれば良いが、建物用庇１の前後方向の長さが長い場合は、前記パネル部材５の天板部１６ａの左右両側位置近傍における前端部近傍上面にステイ取り付け金具２３を取り付け、このステイ取り付け金具２３に対向するように庇取り付け壁面２にもステイ取り付け金具２４を取り付け、前記壁取り付け部材３に対しパネル取り付け用部材４、パネル部材５、ブラケット１８、先端見切り部材６の角度設定後、両ステイ取り付け金具２３，２４間をステイ２５で繋ぎ、建物用庇１を支持すれば良い。
【００１８】
前記ステイ２５は背面に溝２６ａが形成された中空状のステイ本体２６と、このステイ本体２６の長さ方向両端の溝２６ａに嵌入されステイ本体２６にねじ止めされる２枚の連結板体２７とから構成される。詳しくは、ステイ本体２６の溝２６ａと中空部２６ｂを仕切る板部２６ｃに中空部２６ｂ側に向ってＶ状に突出するように凹状部２６ｄが長さ方向に連続して形成され、連結板体２７はねじ孔２７ａが形成され、ステイ本体２６の長さ方向両端の溝２６ａに嵌入された連結板体２７のねじ孔２７ａに螺合されるボルト２８の先端を凹状部２６ｄに食い込ませてステイ本体２６に対して連結板体２７を所望の位置で固定するように構成されている。そして、建物用庇１（パネル取り付け用部材４、パネル部材５、ブラケット１８、先端見切り部材６）の取り付け角度に応じてステイ取り付け金具２３，２４間のステイ２５の長さを調節するのであり、ステイ２５とステイ取り付け金具２３，２４との間は連結板体２７をステイ取り付け金具２３，２４に対しボルト２９、ナット３０により固定することにより行なうことができる。なお、このステイ２５の構成は以上述べた実施の形態のものに限定されるものではない。
【００１９】
ところで、前記パネル部材５はパネル取り付け用部材４の凹溝４ｆに頭部２１ａが嵌合されている長軸のボルト２１をパネル部材５の後板部１６ｂおよびブラケット１８の板部１８ａを前後方向に貫通させた状態で、ブラケット１８の板部１８ａから前方に突出するボルト２１の先端にナット２２を螺合させ締め付けることによりブラケット１８と一体的にパネル取り付け用部材４に結合されるのであるが、ナット２２の締め付けによりパネル部材５の天板部１６ａに反りが発生するという問題が生じる場合がある。この現象はパネル部材５の前後長さが長い場合に顕著であり、この反りの発生を止めるためにパネル部材５の内部に前後方向に向いて第１および第２の補強材３１Ａ，３１Ｂを設けるのが好ましい。この補強材３１Ａ，３１Ｂは鉄製で、ボルト２１の配設位置に設けられる。ボルト２１による締結位置（本数）は建物用庇１の前後方向の長さや左右方向の長さによって決められ、前述のようなステイ２５を用いない場合は図３に示すように底板部３１ａと、この底板部３１ａの両側から立ち上がる側板部３１ｂを備えた断面形状が凵状の第１の補強材３１Ａを用い、ボルト２１の配設位置において第１の補強材３１Ａで前記ボルト２１を包むようにして第１の補強材３１Ａの長さ方向両端を前記パネル部材５の後板部１６ｂおよびブラケット１８の板部１８ａに近接させておくことによりパネル部材５の天板部１６ａの反りの発生を防止することができる。
【００２０】
前記ステイ２５を用いて建物用庇１を支持するものについては、パネル部材５の天板部１６ａ上面に取り付けたステイ取り付け金具２３の位置でボルト２１による締結を行なうようにして、ステイ取り付け金具２３の位置に存在しないボルト２１による締結箇所においては前記図３に示すように底板部３１ａと、この底板部３１ａの両側から立ち上がる側板部３１ｂを備えた断面形状が凵状の第１の補強材３１Ａを用いてパネル部材５の天板部１６ａの補強を行ない、ステイ取り付け金具２３の位置に存在するボルト２１による締結箇所においては図４に示すように底板部３１ａと、この底板部３１ａの両側から立ち上がる側板部３１ｂと、一方の側板部３１ｂの上端に一側辺が繋がり水平に張り出す上板部３１ｃと、この上板部３１ｃの他側辺から垂下する側板部３１ｄを備えた第２の補強材３１Ｂを用い、ステイ取り付け金具２３の位置に存在するボルト２１の配設位置において第２の補強材３１Ｂの底板部３１ａと側板部３１ｂとで前記ボルト２１を包むようにして上板部３１ｃを天板部１６ａを挟んでステイ取り付け金具２３の下側に位置させ、ボルト３２およびナット３３によりステイ取り付け金具２３と上板部３１ｃを天板部１６ａに対して結合させ、第２の補強材３１Ｂの長さ方向両端を前記パネル部材５の後板部１６ｂおよびブラケット１８の板部１８ａに近接させておくことによりパネル部材５の天板部１６ａの反りの発生を防止することができる。なお、第１および第２の補強材３１Ａ，３１Ｂともにブラケット１８の板部１８ａに近接する長さ方向一端においてブラケット１８の板部１８ａの上端に繋がる板部１８ｂとの当接を避けるために側板部３１ｂの上端を切除してある。第２の補強材３１Ｂにあっては上板部３１ｃおよび側板部３１ｄの一端をも切除してある。３１ｅはその切除部である。
【００２１】
以上のように本実施の形態の建物用庇１は全体をアルミの押出材から形成されているのではなく、最も大きな面積を占めるパネル部材５はアルミの板材を折り曲げて作られたパネル本体１６と、このパネル本体１６の下端を塞ぐ底板１７とから構成されているので、製作費が押出材で作ったものに比べて安価になる。
【図面の簡単な説明】
【００２２】
【図１】本発明の一実施の形態における建物用庇の分解斜視図である。
【図２】同建物用庇に使用されるステイの分解斜視図である。
【図３】同建物用庇に使用される第１の補強材の斜視図である。
【図４】同建物用庇に使用される第２の補強材の斜視図である。
【図５】同建物用庇の平面図である。
【図６】同建物用庇の正面図である。
【図７】同建物用庇の側面図である。
【図８】図６のＡ−Ａ断面図である。
【図９】同建物用庇の取り付け工事途中の状態を示す側面断面図である。
【図１０】同ステイとステイ取り付け金具との連結部の拡大斜視図である。
【図１１】同ステイのステイ本体に対する連結板体の固定部の拡大断面図である。
【図１２】同ステイ取り付け金具と第２の補強材との結合状態を示す拡大断面図である。
【符号の説明】
【００２３】
１              建物用庇
２              庇取り付け壁面
３              壁取り付け部材
３ａ            鉛直部分
３ｂ            突出部分
３ｃ，３ｄ      リブ
３ｅ            係合部
４              パネル取り付け用部材
４ａ            板部
４ｂ            係合部
４ｃ，４ｄ      板部
４ｅ            支持部
４ｆ            凹溝
５              パネル部材
６              先端見切り部材
６ａ，６ｂ      爪片
６ｃ            受け片
７              アンカーボルト
８              ナット
１０              側板
１２              支持金具
１４              側板
１６              パネル本体
１６ａ            天板部後板部
１６ｂ            後板部
１６ｃ            板部
１６ｄ            側板部
１６ｅ            板部
１７              底板
１８              ブラケット
１８ａ，１８ｂ    板部
１８ｃ，１８ｄ    突出片
１８ｅ，１８ｆ    溝部
１９              側板
２１              ボルト
２１ａ            頭部
２２              ナット
２３，２４        ステイ取り付け金具
２５              ステイ
３１Ａ            第１の補強材
３１Ｂ            第２の補強材
３１ａ            底板部
３１ｂ            側板部
３１ｃ            上板部
３１ｄ            側板部
３１ｅ            切除部
３２              ボルト
３３              ナット
【図１】
2005256317.tif 000003
【図２】
2005256317.tif 000004
【図３】
2005256317.tif 000005
【図４】
2005256317.tif 000006
【図５】
2005256317.tif 000007
【図６】
2005256317.tif 000008
【図７】
2005256317.tif 000009
【図８】
2005256317.tif 000010
【図９】
2005256317.tif 000011
【図１０】
2005256317.tif 000012
【図１１】
2005256317.tif 000013
【図１２】
2005256317.tif 000014